(57)【要約】【課題】複数のかごを上下に連結して運用されるエレベータを複数設置した行先階制御システムでの運用に対し、利用者の誤乗車を未然に防止すること。【解決手段】複数のかご室3-1U，3-1Dを連結したエレベータ3-1と、エレベータ3-1のかご室が停止可能な階床に乗場に設置され、行先階を登録する行先階登録部7a，7bと、複数のかご室夫々が停止する階床を制限しない運転モード時に、行先階登録部7a，7bが設置された階への着床があるか否かを判断し、あると判断した場合に、行先階登録部7a，7bが設置された階床において、当該階床の行先階登録部7a，7bで登録した行先階に停止するかご室と他のかご室とで識別して行先登録階表示部5-1a，5-1bで表示させる表示制御部2-1Bとを備える。【選択図】図１
2017105585.tif 000002
【特許請求の範囲】
【請求項１】
複数のかご室を上下方向に連結したエレベータと、
上記エレベータのかご室が停止可能な階床の乗場の少なくとも１つに設置され、行先階を登録する行先階登録手段と、
上記複数のかご室と停止可能な階床の組合せを切換える複数の運転モードのうち、上記複数のかご室それぞれが停止する階床を制限しない運転モードである場合に、上記行先階登録手段が設置された階床への着床があるか否かを判断する判断手段と、
上記判断手段で上記行先階登録手段が設置された階床への着床があると判断した場合に、上記行先階登録手段が設置された階床において、当該階床の上記行先階登録手段で登録した行先階に停止するかご室と他のかご室とで識別して表示させる表示制御手段と
を備えることを特徴とするエレベータ制御装置。
【請求項２】
上記判断手段は、上記エレベータの運転状態により、上記かご室が次に停止する階床を決定した後のタイミングに応じて上記判断を行なうことを特徴とする請求項１記載のエレベータ制御装置。
【請求項３】
上記判断手段は、上記エレベータの運転状態により、上記かご室が次に停止する階床に向けて減速を開始するタイミングに応じて上記判断を行なうことを特徴とする請求項２記載のエレベータ制御装置。
【請求項４】
上記表示制御手段は、当該階床の上記行先階登録手段で登録した行先階に停止するかご室の行先階の情報を、他のかご室の行先階の情報に比して、知覚上より認識しやすい態様で識別して表示させることを特徴とする請求項１記載のエレベータ制御装置。
【発明の詳細な説明】
【技術分野】
【０００１】
本発明の実施形態は、複数のかごを上下に連結して昇降するエレベータに好適なエレベータ制御装置に関する。
【背景技術】
【０００２】
エレベータには、１つの乗りかごからなるシングルデッキエレベータの他に、２つの乗りかごが上下方向に連結して構成されたダブルデッキエレベータがある。このダブルデッキエレベータは、シングルデッキエレベータと同様の設置床面積ながら、より大量の輸送が可能となるものであり、主に超高層ビル等のビル内の縦の交通手段として用いられている。（例えば、特許文献１）
【先行技術文献】
【特許文献】
【０００３】
【特許文献１】特開２００１−１３９２４６号公報
【発明の概要】
【発明が解決しようとする課題】
【０００４】
ビル内でエレベータの乗り降りを行なうエレベータホールにおいては、その時点でエレベータが位置する階床の表示を行なう、所謂ホールインジケータと称される表示器を設置する場合がある。またダブルデッキエレベータの場合、１機のエレベータに乗りかごが２つあるため、上記ホールインジケータも１機当たりに上かご用と下かご用の２個が必要となる。
【０００５】
上記ダブルデッキエレベータの運転に関し、上下のかご一方のみを用いて運転を行なうシングル運転や、例えば上かごを偶数階、下かごを奇数階というように割り当てて停止階を固定化するダブル運転に代えて、上かご及び下かごの停止階を規制せずに柔軟に対応するセミダブル運転と称される運転モードが考えられる。複数のエレベータが設置される軍管理制御においては、このセミダブル運転を行なう場合、１つの階床で、あるエレベータの上かごと他のエレベータの下かごとが同時に着床して戸開することもあり得る。
【０００６】
ところで、一般にエレベータホールには、ホール呼びを登録するためのホール呼びボタンが設置されている。エレベータの利用者が自分の行きたい方向に応じてこのホール呼びボタン、具体的には上方向呼びボタンまたは下方向呼びボタンを操作すると、乗りかごがホール呼びの登録階に応答する。利用者がかごに乗車して、かご内操作盤の行先階呼びボタンを操作すると、行先階が登録され、乗りかごが当該行先階に移動する。
【０００７】
このホール呼びボタンを用いるエレベータのシステムに対して、近年では、エレベータホールにて直接に行先階を指定可能な操作盤（以下「行先階登録部」と称する）を備えたエレベータ群管理システムが実用化されている。なお、このようなエレベータ群管理システムは、「行先階制御システム」などと称されている。
【０００８】
しかしながら行先階制御システムでは、行先階登録部をビル内の各階エレベータホールに設置しなければならず、従来のホール呼びボタンに比して設備の費用が増大するという不具合がある。
【０００９】
そこで、ビルの利用者が多いフロア、例えばロビー階となる１階や店舗等が集合している階、あるいは５階毎など一定の間隔の階のエレベータホールには行先階登録部を設置し、その他の階のエレベータホールには従来通りホール呼びボタンを設置するような、従来のシステムと行先階制御システムとが混在するようなシステムも考えられている。
【００１０】
そのような従来のシステムと行先階制御システムとが混在するようなシステムで、上記ダブルデッキエレベータをセミダブル運転で走行させる場合にも、上述した如く複数のエレベータが同時に着床して戸開することが考えられる。
【００１１】
特に行先階登録部を設置した階において複数のエレベータが同時に戸開した場合、利用者は、本来は行先階登録部で行先階を登録して群管理システムにより割り当てられた側のエレベータを確認した上で乗車する必要があるが、確認が不十分となって、異なるエレベータに誤って乗車する可能性も充分考えられる。
【００１２】
本実施形態は上記のような実情に鑑みてなされたもので、その目的とするところは、複数のかごを上下に連結して運用されるエレベータを複数設置した行先階制御システムでの運用に対し、利用者の誤乗車を未然に防止することが可能なエレベータ制御装置を提供することにある。
【課題を解決するための手段】
【００１３】
実施形態のエレベータ制御装置は、複数のかご室を上下方向に連結したエレベータと、上記エレベータのかご室が停止可能な階床の乗場の少なくとも１つに設置され、行先階を登録する行先階登録手段と、上記複数のかご室と停止可能な階床の組合せを切換える複数の運転モードのうち、上記複数のかご室それぞれが停止する階床を制限しない運転モードである場合に、上記行先階登録手段が設置された階床への着床があるか否かを判断する判断手段と、上記判断手段で上記行先階登録手段が設置された階床への着床があると判断した場合に、上記行先階登録手段が設置された階床において、当該階床の上記行先階登録手段で登録した行先階に停止するかご室と他のかご室とで識別して表示させる表示制御手段とを備えることを特徴とする。
【図面の簡単な説明】
【００１４】
【図１】一実施形態に係るエレベータの群管理システム全体の構成を示すブロック図。
【図２】同実施形態に係るエレベータホールにエレベータ号機毎に設置される行先登録階表示部とランタンの構成例を示す外観図。
【図３】同実施形態に係るセミダブル運転モードで表示制御部が実行する処理内容を示すフローチャート。
【図４】同実施形態に係る行先登録階表示部及びランタンの表示例を示す図。
【発明を実施するための形態】
【００１５】
以下、一実施形態について図面を参照して詳細に説明する。
【００１６】
図１は、一実施形態に係るビル内のエレベータの群管理システム全体の構成を示す図である。なお、ここで言う「エレベータ」とは、基本的には「乗りかご」のことであり、本実施形態のように複数台ある場合には「号機」という言い方もする。
【００１７】
同図中、１は群管理制御装置であり、２−１，２−２，‥‥は群管理制御装置１の制御の下に各号機のエレベータを個別に制御するエレベータ制御装置である。エレベータ制御装置２−１，２−２，‥‥はいずれも、上記群管理制御装置１による割当てに応じて、上下２階構造の乗りかご３−１，３−２，‥‥の制御を実行する。乗りかご３−１，３−２，‥‥は、このビルの昇降路Ｓ１，Ｓ−２，‥‥内をそれぞれ上下に走行する。
【００１８】
ここでは、各号機とも基本的には同様の構成を有するものとして、例えば第１号機の構成を説明する。  
上記エレベータ制御装置２−１は、走行制御部２−１Ａと表示制御部２−１Ｂとを有する。走行制御部２−１Ａは、乗りかご３−１の上下方向への走行と停止を制御する。また走行制御部２−１Ａは、乗りかご３−１に関する走行制御の状態を示す情報を表示制御部２−１Ｂに提供する。制御表示制御部２−１Ｂは、群管理制御装置１と走行制御部２−１Ａから与えられる情報に基づき、乗りかご３−１内の表示器と各階床のエレベータホールの第１号機である乗りかご３−１用に設置された表示器を制御する。
【００１９】
具体的には、第１号機の乗りかご３−１の上方を上かご３−１Ｕ、下方を下かご３−１Ｄと称すると、上かご３−１Ｕ、下かご３−１Ｄ内にはそれぞれかご内操作盤４−１Ｕ，４−１Ｄを設ける。
【００２０】
かご内操作盤４−１Ｕ，４−１Ｄは、かご内に乗車した利用者が行先階を登録するためのかご呼びボタンと、戸開ボタン、戸閉ボタン、当該乗りかご３−１の進行状態を表示するかご内表示部を含み、上記表示制御部２−１Ｂは、上記かご内表示部での表示を制御する。
【００２１】
このビルの階床を最上階から順にａ階，ｂ階，‥‥とすると、このビルのエレベータホールでは第１号機の乗りかご３−１に対応して各階毎に行先登録階表示部５−１ａ，５−１ｂ，‥‥及びランタン６−１ａ，６−１ｂ，‥‥を設ける。上記表示制御部２−１Ｂは、これら行先登録階表示部５−１ａ，５−１ｂ，‥‥及びランタン６−１ａ，６−１ｂ，‥‥の表示を制御する。
【００２２】
図２は、ビル各階のエレベータホールで各号機の乗りかご３−１，３−２，‥‥毎に設けられる行先登録階表示部５−１ａ，５−１ｂ，‥‥，５−２ａ，５−２ｂ，‥‥（以下「行先登録階表示部５」）と、ランタン６−１ａ，６−１ｂ，‥‥，６−２ａ，６−２ｂ，‥‥（以下「ランタン６」）の構成例を示す外観図である。
【００２３】
ここでは、例えばビル内のエレベータが１階乃至１５階までの運転を行なうものとする。行先登録階表示部５の左端に下降表示部５Ａ、同右端に上昇表示部５Ｂ、上記下降表示部５Ａ及び上昇表示部５Ｂを除く上半分に上かご行先登録階表示部５Ｃ、同下半分に下かご行先登録階表示部５Ｄを配した構成としている。
【００２４】
同図では、上かご行先登録階表示部５Ｃ及び下かご行先登録階表示部５Ｄ共に、「１」階乃至「１５」階がすべて表示された状態、すなわちを示しているが、現実には利用者の行先登録階のみが上かご行先登録階表示部５Ｃまたは下かご行先登録階表示部５Ｄにて表示される。
【００２５】
ランタン６は、対応する乗りかご３が当該階に着床することが確定した時点でその進行方向に応じて上部または下部が選択的に点灯あるいは点滅するインジケータである。
【００２６】
さらにこのビルのエレベータホールには、複数の乗りかご３−１，３−２，‥‥に対応して、各階毎に行先階登録部７またはホール呼びボタン８が設置されるものとする。図１では、例えば上部のａ階及びｂ階では行先階登録部７ａ，７ｂを設置し、その下部のｃ階〜ｅ階ではホール呼びボタン８ｃ〜８ｅを設置している。
【００２７】
すなわち、行先階登録部７ａ，７ｂを設置したａ階及びｂ階では、利用者が当該行先階登録部７ａ、７ｂを操作することにより、ａ階、ｂ階からホール呼び登録と合わせて行先階登録を直接行なうことができる。
【００２８】
一方のホール呼びボタン８ｃ〜８ｅを設置したｃ階〜ｅ階では、利用者がホール呼びに応じて着床した乗りかご３−１，３−２，‥‥のいずれかに乗車した後に、当該かご室内のかご内操作盤４（４−１Ｕ，４−１Ｄ）を操作して行先階を登録する。
【００２９】
これら行先階登録部７ａ，７ｂでの操作信号、及びホール呼びボタン８ｃ〜８ｅでの操作信号は、直接上記群管理制御装置１へ送出される。さらに、行先階登録部７ａ，７ｂで入力操作後に割当て結果としての号機情報を表示する構成の場合、そのための表示データは群管理制御装置１から直接与えられる。
【００３０】
このように本実施形態では、各階毎に行先階登録部７とホール呼びボタン８のいずれかが設置されたシステムとなっている。なお図１では、各階毎に行先階登録部７またはホール呼びボタン８いずれか１つを有するものとして図示しているが、各階毎の行先階登録部７またはホール呼びボタン８の数は、１つに限らず、例えばエレベータの号機数分だけ設置するものとしても良い。
【００３１】
上記群管理制御装置１と、各エレベータ毎のエレベータ制御装置２−１，２−２，‥‥は、それぞれコンピュータとその入出力機構によって構成される。当該コンピュータ内部では、動作プログラムや各種固定データ等を記憶したプログラムメモリからＣＰＵが必要なプログラムやデータ等を読出してワークメモリに展開して記憶させた上で、ワークメモリ上のプログラムを順次実行することで、各種の制御動作を実行する。
【００３２】
次に上記実施形態の動作について説明する。  
図３は、その時点で適切に上かご及び下かごを任意階へ着床させる「セミダブル運転モード」が設定されている状態で、エレベータ制御装置２−１，２−２，‥‥の各表示制御部２−１Ｂ，２−２Ｂ，‥‥が、走行制御部２−１Ａ，２−２Ａ，‥‥による乗りかご３−１，３−２，…への動作制御と平行して実行する、行先登録階表示部５−１ａ，５−１ｂ，‥‥の表示処理の内容を示すフローチャートである。
【００３３】
以下、エレベータ制御装置２−１の表示制御部２−１Ｂが処理を実行する場合を例にとって説明する。  
処理当初に表示制御部２−１Ｂは、該当する１号機の乗りかご３−１の上かご３−１Ｕ及び下かご３−１Ｄの行先予定階の情報を含む割当て結果を群管理制御装置１から取得する（ステップＳ１０１）。
【００３４】
さらに表示制御部２−１Ｂは、乗りかご３−１の上かご３−１Ｕと下かご３−１Ｄの現在時点での階床位置の情報を走行制御部２−１Ａから取得する（ステップＳ１０２）。
【００３５】
その後、表示制御部２−１Ｂは、その時点の乗りかご３−１の走行パターンと加減速状態の情報、すなわち上昇中であるか、停止中であるか、下降中であるか、さらに上昇中あるいは下降中であれば加速／減速中であるか、定速での走行かの情報を、同じく走行制御部２−１Ａから取得する（ステップＳ１０３）。
【００３６】
なお、上記ステップＳ１０１での行先予定階の情報を含む割当て結果の取得頻度をｆ１、上記ステップＳ１０２での上かご３−１Ｕ、下かご３−１Ｄの位置情報の取得頻度をｆ２、上記ステップＳ１０３での走行パターンと走行状態の情報の取得頻度をｆ３、とすると、「ｆ１＝ｆ２＝ｆ３」でなく、「ｆ２＞ｆ３＞ｆ１」となる。
【００３７】
取得頻度がより低い情報に関しては、前回取得した内容を表示制御部２−１Ｂ内で保持しておいて援用するようにしても良い。
【００３８】
上記ステップＳ１０１〜Ｓ１０３で取得した各情報に基づいて、表示制御部２−１Ｂでは行先登録階表示部５−１ａ，５−１ｂ，‥‥での表示内容を更新するタイミングとなったか否かを判断する（ステップＳ１０４）。
【００３９】
ここで表示内容を更新するタイミングとは、群管理制御装置１から取得した行先予定階の情報を含む割当て結果に直前と比して変更があった場合、走行制御部２−１Ａから取得した、その時点の上かご３−１Ｕ及び下かご３−１Ｄの位置情報が直前の内容と異なる場合、及び乗りかご３−１の走行パターンが切り替わった場合、乗りかご２が定速走行から減速走行に移行した場合、乗りかご２が停止状態から加速走行に移行した場合を含む。
【００４０】
上記ステップＳ１０４において、行先登録階表示部５−１ａ，５−１ｂ，‥‥での表示内容を更新するタイミングとはなっていないと判断した場合（ステップＳ１０４のＮＯ）、表示制御部２−１Ｂは直前に行先登録階表示部５−１ａ，５−１ｂ，‥‥で表示させていた内容を維持して表示させた上で（ステップＳ１０５）、再度上記ステップＳ１０１からの処理に戻る。
【００４１】
また上記ステップＳ１０４において、行先登録階表示部５−１ａ，５−１ｂ，‥‥での表示内容を更新するタイミングとなったと判断した場合（ステップＳ１０４のＹＥＳ）、表示制御部２−１Ｂは次にその時点で乗りかご３−１の上かご３−１Ｕと下かご３−１Ｄそれぞれに割当てられた行先予定階の情報から、行先登録階表示部５−１ａ，５−１ｂ，‥‥での表示内容を作成する（ステップＳ１０６）。
【００４２】
そしてその作成した表示内容に基づき、各階でかご別となるように行先登録階表示部５−１ａ，５−１ｂ，‥‥を表示させる（ステップＳ１０７）。
【００４３】
さらに表示制御部２−１Ｂは、次に停止する階床が、上記ホール呼びボタン８ではなく行先階登録部７が設置された階床であり、且つ当該階床で利用者により行先階登録部７の操作が行なわれたか（行先階が登録済であるか）否かを判断する（ステップＳ１０８）。
【００４４】
ここで次に乗りかご３−１の上かご３−１Ｕ及び下かご３−１Ｄの少なくとも一方が停止する階床が行先階登録部７が設置された階床であり、且つ当該階床で利用者による行先階登録部７の操作が行なわれて行先階が登録済であると判断した場合（ステップＳ１０８のＹＥＳ）、表示制御部２−１Ｂはその階の行先登録階表示部５−１において、該当する行先階を含むかご側の領域を、該当する行先階を含まないかご側の領域と識別するようにして表示を実行した上で（ステップＳ１０９）、上記ステップＳ１０１からの処理に戻る。
例えば、上かご３−１Ｕ及び下かご３−１Ｄが共に１０階より低い階床位置にあって上昇中であり、行先階登録部７が設置された「１０階」で利用者が「１５階」を目的階とする行先呼び登録を行なっていた場合、表示制御部２−１Ｂは、群管理制御装置１からの情報により、この「１０階」での操作に基づいて次に停止する階床を「１０階」として、「１０」階の行先登録階表示部５−１において、行先階「１５階」を含むかご側の領域を、行先階を含まないかご側の領域と識別するようにして表示を実行させる。
【００４５】
図４は、このビルが１５階建てである場合の、ｂ階（１４階）の乗りかご３−１に対応する行先登録階表示部５−１ｂ及びランタン６−１ｂ（図４（Ａ））と、乗りかご３−２に対応する行先登録階表示部５−２ｂ及びランタン６−１ｂ（図４（Ｂ））の表示例を示す。
【００４６】
ここでは、図４（Ａ）において、乗りかご３−１の下かご３−１Ｄが１４階の表示範囲にあってまもなく着床する時点で、予め行先階登録部７ｂで登録した行先階「８（階）」を下かご行先登録階表示部５Ｄ側で大きく表示すること、同上かご３−１Ｕが「９（階）」で着床することを併せて表示している。
【００４７】
上記行先登録階表示部５−１ｂを、例えばバックライト付きのカラー液晶パネル等のフラットパネルディスプレイで構成することにより、上かご行先登録階表示部５Ｃと下かご行先登録階表示部５Ｄの表示領域を固定化することなく、上かご行先登録階表示部５Ｃの表示領域よりも下かご行先登録階表示部５Ｄの表示領域を一時的に大きく設定できる。
【００４８】
加えて、この階の行先階登録部７ｂで登録された、行先予定階である「８（階）」の数値を他の階の数値と異なる態様（色、フォント、サイズ等）でより目立つように表示させ、且つ下かご行先登録階表示部５Ｄ側全体を点滅するように表示させる。
【００４９】
これにより、この１４階の行先階登録部７ｂで行先予定階「８（階）」を操作した利用者は、行先登録階表示部５−１ｂの表示内容から、乗りかご３−１の下かご３−１Ｄに乗れば、目的の８階にいけることが視覚的に容易に理解可能となる。
【００５０】
一方で、図４（Ｂ）に示すように隣の乗りかご３−２に対応した行先登録階表示部５−１ｂにおいては、同じく１４階に上かご３−２Ｕが着床するものの、行先階登録部７ｂで行先を登録した８階には着床しないことが、上かご行先登録階表示部５Ｃ及び下かご行先登録階表示部５Ｄの表示により理解できる。
【００５１】
この場合に行先登録階表示部５−２ｂでは、上かご行先登録階表示部５Ｃ及び下かご行先登録階表示部５Ｄを等分した領域範囲として、上かご３−２Ｕが着床する予定の階と下かご３−２Ｄが着床する予定の階とを同等に取扱った表示とする。
【００５２】
この行先登録階表示部５−２ｂの表示により、上記行先登録階表示部５−１ａ側の表示と併せて、ランタン６−１ｂ，６−２ｂは共に下側へ進行する乗りかご３−１，３−２の着床があることを表示していながら、乗りかご３−２側では１４階の行先階登録部７ｂで行先を登録した８階には着床しないことを視覚的に理解できる。
【００５３】
また上記ステップＳ１０８において、次に乗りかご３−１の上かご３−１Ｕ及び下かご３−１Ｄの少なくとも一方が停止する階床が行先階登録部７が設置された階床ではないか、または行先階登録部７が設置された階床であっても、当該階床で利用者による行先階登録部７の操作がなされておらず、行先階が登録されていないと判断した場合（ステップＳ１０８のＮＯ）、表示制御部２−１Ｂは上記ステップＳ１０９でのかごに応じた識別表示を行なわずに、上記ステップＳ１０１からの処理に戻る。
【００５４】
以上詳述した如く本実施形態によれば、複数のかごを上下に連結して運用されるエレベータを複数設置した行先階制御システムでの運用に対し、利用者の誤乗車を未然に防止することが可能となる。
【００５５】
また上記実施形態では、表示に関する判断を、かご室が次に停止する階床を決定した後のタイミングに応じて行なうものとしたので、その階床で待つ利用者を不用意に苛つかせることなく、着床を知らせることができる。
【００５６】
特に上記実施形態では、かご室が次に停止する階床を決定するタイミングとして、上記かご室が次に停止する階床に向けて減速を開始するタイミングを用いるものとしたので、階床で待つ利用者に対してより適切なタイミングで着床を知らせることができる。
【００５７】
また上記実施形態では、当該階床で登録した行先階の情報を含むかご室の行先階の情報を、他のかご室の行先階の情報に比して、知覚上より認識しやすい態様、具体的には点滅や表示領域の大きさ、色、文字フォント、文字サイズ等で識別して表示させ、必要により音声ガイダンスなどを併用してすることで、利用者によりわかりやすく、確実に誤乗車を防止できる。
【００５８】
本発明の実施形態を説明したが、上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…群管理制御装置、２−１，２−２…エレベータ制御装置、３−１，３−２…乗りかご、３−１Ｕ，３−２Ｕ…上かご、３−１Ｄ，３−２Ｄ…下かご、４−１Ｕ，４−１Ｄ，４−２Ｕ，４−２Ｄ…かご内操作盤、５−１ａ，５−１ｂ，５−２ａ，５−２ｂ…行先登録階表示部、６−１ａ，６−１ｂ，６−２ａ，６−２ｂ…ランタン、７，７ａ，７ｂ…行先階登録部、８，８ｃ〜８ｅ…ホール呼びボタン。
【図１】
2017105585.tif 000003
【図２】
2017105585.tif 000004
【図３】
2017105585.tif 000005
【図４】
2017105585.tif 000006
【手続補正書】
【提出日】平成28年11月2日(2016.11.2)
【手続補正１】
【補正対象書類名】明細書
【補正対象項目名】００１３
【補正方法】変更
【補正の内容】
【００１３】
実施形態のエレベータ制御装置は、複数のかご室を上下方向に連結したエレベータと、上記エレベータのかご室が停止可能な階床の乗場の少なくとも１つに設置され、行先階を登録する行先階登録手段と、上記複数のかご室と停止可能な階床の組合せを切換える複数の運転モードのうち、上記複数のかご室それぞれが停止する階床を制限しない運転モードである場合に、上記行先階登録手段が設置された階床への着床があるか否かを判断する判断手段と、上記エレベータのかご室が停止可能なすべての階床の乗場に当該エレベータの号機毎に設置され、当該エレベータの上下のかご室の登録された行先階の情報を表示する表示手段と、上記判断手段で上記行先階登録手段が設置された階床への着床があると判断した場合に、上記行先階登録手段が設置された階床において、当該階床の上記行先階登録手段で登録した行先階に停止するかご室と他のかご室とで識別して、登録した行先階に停止するかご室の行先階の情報を上記表示手段で表示させる表示制御手段とを備えることを特徴とする。
【手続補正２】
【補正対象書類名】明細書
【補正対象項目名】００２４
【補正方法】変更
【補正の内容】
【００２４】
同図では、上かご行先登録階表示部５Ｃ及び下かご行先登録階表示部５Ｄ共に、「１」階乃至「１５」階がすべて表示された状態を示しているが、現実には利用者の行先登録階のみが上かご行先登録階表示部５Ｃまたは下かご行先登録階表示部５Ｄにて表示される。
【手続補正３】
【補正対象書類名】特許請求の範囲
【補正対象項目名】全文
【補正方法】変更
【補正の内容】
【特許請求の範囲】
【請求項１】
複数のかご室を上下方向に連結したエレベータと、
上記エレベータのかご室が停止可能な階床の乗場の少なくとも１つに設置され、行先階を登録する行先階登録手段と、
上記複数のかご室と停止可能な階床の組合せを切換える複数の運転モードのうち、上記複数のかご室それぞれが停止する階床を制限しない運転モードである場合に、上記行先階登録手段が設置された階床への着床があるか否かを判断する判断手段と、
上記エレベータのかご室が停止可能なすべての階床の乗場に当該エレベータの号機毎に設置され、当該エレベータの上下のかご室の登録された行先階の情報を表示する表示手段と、
上記判断手段で上記行先階登録手段が設置された階床への着床があると判断した場合に、上記行先階登録手段が設置された階床において、当該階床の上記行先階登録手段で登録した行先階に停止するかご室と他のかご室とで識別して、登録した行先階に停止するかご室の行先階の情報を上記表示手段で表示させる表示制御手段と
を備えることを特徴とするエレベータ制御装置。
【請求項２】
上記判断手段は、上記エレベータの運転状態により、上記かご室が次に停止する階床を決定した後のタイミングに応じて上記判断を行なうことを特徴とする請求項１記載のエレベータ制御装置。
【請求項３】
上記判断手段は、上記エレベータの運転状態により、上記かご室が次に停止する階床に向けて減速を開始するタイミングに応じて上記判断を行なうことを特徴とする請求項２記載のエレベータ制御装置。
【請求項４】
上記表示制御手段は、当該階床の上記行先階登録手段で登録した行先階に停止するかご室の行先階の情報を、他のかご室の行先階の情報に比して、知覚上より認識しやすい態様で識別して上記表示手段で表示させることを特徴とする請求項１記載のエレベータ制御装置。